(57)【要約】【課題】便鉢部の表面を洗浄しつつ、汚物等を良好に排出することができる水洗式便器を提供する。【解決手段】水洗式便器１は、鉢面１３と、鉢面１３の下部に形成され、底面１３Ｌを具備した凹部１０Ｄと、鉢面１３に洗浄水を供給する吐水口１１Ａとを有した便鉢部、及び凹部１０Ｄの底面１３Ｌの後部に形成された流入口３０Ａに連続した排水路３０を備えた水洗式便器１であって、水平方向の断面形状において、便鉢部１０の前方から見て左側の鉢面１３の後部が、外側に凹んだ第１左側凹面１３Ｆ、及び第１左側凹面１３Ｆより前側で内側に突出した左側凸面１３Ｇを具備している。【選択図】図１
2018111949.tif 000002
【特許請求の範囲】
【請求項１】
鉢面と、
前記鉢面の下部に形成され、底面を具備した凹部と、
前記鉢面に洗浄水を供給する吐水口と、
を有した便鉢部、
及び前記凹部の前記底面の後部に形成された流入口に連続した排水路を備えた水洗式便器であって、
水平方向の断面形状において、便鉢部の前方から見て左右一方側の前記鉢面の後部が、外側に凹んだ第１凹面、及び前記第１凹面より前側で内側に突出した凸面を具備していることを特徴とする水洗式便器。
【請求項２】
上下方向の断面形状において、前記第１凹面が外側に凹んで形成され、前記凸面が内側に突出して形成されていることを特徴とする請求項１に記載の水洗式便器。
【請求項３】
上下方向の断面形状において、前記鉢面は、前記凸面の上側に、外側に凹んで形成された第２凹面を具備していることを特徴とする請求項１又は２に記載の水洗式便器。
【請求項４】
前記凸面は前記凹部の左右方向の中央部における前後方向の中央部よりも前方に形成されていることを特徴とする請求項１乃至３のいずれか１項に記載の水洗式便器。
【請求項５】
前記吐水口から吐水された洗浄水が、前記鉢面の左右他方側を流下して前記凹部の前方から前記凹部に流入する主流を形成することを特徴とする請求項１乃至４のいずれか１項に記載の水洗式便器。
【発明の詳細な説明】
【技術分野】
【０００１】
本発明は水洗式便器に関する。
【背景技術】
【０００２】
特許文献１には従来の水洗式便器が開示されている。この水洗式便器は、大便器のリム直下でボウル部（便鉢部）の内面に沿ってほぼ水平にボウル部の側部より前方に洗浄水を供給するノズル（吐水口）が取付けられている。また、ボウル部のノズルが取付けられている高さより若干下の位置には、ノズルより吐水された洗浄水をボウル部の全周へ導くための棚（洗浄棚）を設け、棚の上方には棚を覆うようなリム形状が形成されている。さらに、この水洗式便器は、便器の外形形状とボウル内面形状の間のリムの幅を、側部より前方に行くにつれて大きくなるように構成されている。
【０００３】
この水洗式便器はボウル内面形状の前方部の曲率が小さくなり、洗浄水がスムーズに伝わるようになり、その結果給水源の圧力が低圧の場合でも、ボウル後端部まで洗浄水が伝わり、ボウル洗浄を行うことができる。また、この水洗式便器のボウル内面の前方部の曲率が小さくなるため、洗浄水の遠心力が小さくなり、ボウル前方部で洗浄水がボウル外へ飛び出したり飛散ったりすることを抑えることができる。
【先行技術文献】
【特許文献】
【０００４】
【特許文献１】特開２００２−２９４８４２号公報
【発明の概要】
【発明が解決しようとする課題】
【０００５】
この水洗式便器は、棚から流下する洗浄水が、ボウル部の表面を旋回しながら流下することによって、ボウル部の下部において、旋回流が形成されることになる。こうして形成された旋回流は下方向に流れ難い。つまり、旋回流は排水路に流入し難い。これにより、この水洗式便器は汚物等を良好に排出できないおそれがある。
【０００６】
本発明は、上記従来の実情に鑑みてなされたものであって、便鉢部の表面を洗浄しつつ、汚物等を良好に排出することができる水洗式便器を提供することを解決すべき課題としている。
【課題を解決するための手段】
【０００７】
本発明の水洗式便器は、
鉢面と、
前記鉢面の下部に形成され、底面を具備した凹部と、
前記鉢面に洗浄水を供給する吐水口と、
を有した便鉢部、
及び前記凹部の前記底面の後部に形成された流入口に連続した排水路を備えた水洗式便器であって、
水平方向の断面形状において、便鉢部の前方から見て左右一方側の前記鉢面の後部が、外側に凹んだ第１凹面、及び前記第１凹面より前側で内側に突出した凸面を具備していることを特徴とする。
【０００８】
この水洗式便器は、例えば、吐水口から吐水された洗浄水が第１凹面と凸面とを流れると、第１凹面と凸面とによって洗浄水が鉢面の後部の左右一方側から凹部に向けて流入する方向を調節することができる。これにより、この水洗式便器は凹部内の所望の位置に洗浄水を流下させて、凹部内の洗浄水や汚物等を攪拌して、排水路に汚物等を排出することができる。
【０００９】
したがって、本発明の水洗式便器は便鉢部の表面を洗浄しつつ、汚物等を良好に排出することができる。
【図面の簡単な説明】
【００１０】
【図１】実施例１の水洗式便器の平面図である。
【図２】図１における矢視Ａ−Ａ断面図である。
【図３】図１における矢視Ｂ−Ｂ断面図である。
【図４】図１における矢視Ｃ−Ｃ断面図である。
【図５】図１における矢視Ｄ−Ｄ断面図である。
【図６】図１における矢視Ｅ−Ｅ断面図である。
【図７】図２における矢視Ｆ−Ｆ断面図である。
【図８】図２における矢視Ｇ−Ｇ断面図である。
【図９】実施例１の水洗式便器の便鉢部内の洗浄水の流れを示す平面図である。
【図１０】実施例１の水洗式便器の洗浄水の流れを示す、図１における矢視Ａ−Ａ断面図である。
【発明を実施するための形態】
【００１１】
本発明における好ましい実施の形態を説明する。
【００１２】
本発明の水洗式便器は上下方向の断面形状において、第１凹面が外側に凹んで形成され、凸面が内側に突出して形成され得る。この場合、例えば、第２主流が第１凹面を流れた後、凸面に到達すると、第２主流は前方向に向かう勢いが小さくなる。このため、凸面に到達した第２主流は、凸面を下方向に流下して凹部の左右一方に流入し、凹部の洗浄水や汚物等を攪拌することができる。
【００１３】
本発明の水洗式便器の鉢面は、上下方向の断面形状において、凸面の上側に、外側に凹んで形成された第２凹面を具備し得る。この場合、例えば、第２主流が第１凹面を流れた後、第２凹面に到達すると、第２主流は第２凹面と凸面とによって鉢面の前側に案内される。つまり、第２凹面を流れる第２主流は前方向に向かう勢いが小さくなることが抑えられて鉢面の前側に流れることができる。
【００１４】
本発明の水洗式便器の凸面は凹部の左右方向の中央部における前後方向の中央部よりも前方に形成され得る。この場合、この水洗式便器は第２凹面を前方向に流れる第２主流が凸面によって鉢面の前側により良好に案内される。つまり、第２凹面を流れる第２主流は前方向に向かう勢いが小さくなることが抑えられて鉢面の前側により良好に流れることができる。
【００１５】
本発明の水洗式便器は、吐水口から吐水された洗浄水が、鉢面の左右他方側を流下して凹部の前方から凹部に流入する主流を形成し得る。この場合、この水洗式便器は、凹部内に旋回する旋回流を形成することができる。これにより、凹部内の洗浄水の水面の位置が上昇し、凹部のより広い範囲を洗浄することができる。
【００１６】
本発明の水洗式便器を具体化した実施例１について図面を参照しつつ説明する。
【００１７】
＜実施例１＞
実施例の水洗式便器１は、便鉢部１０、及び排水路３０を備えている。
【００１８】
便鉢部１０は、図１、３〜６に示すように、洗浄棚１２、立面１１、膨出部１１Ｂ、及び鉢面１３を有している。
【００１９】
洗浄棚１２は、図１に示すように、左側洗浄棚１２Ａ、右側洗浄棚１２Ｂ、後側洗浄棚１２Ｃ、及び第１境界部１０Ｂを具備している（左右は、図１における左側右側である。以下同じ。）（前後は、図１における下側上側である。以下同じ。）。洗浄棚１２は便鉢部１０の内側上部の周縁に沿って形成されており、吐水口１１Ａから吐水された洗浄水が流れる（上下は、図１における手前側奥側である。以下同じ。）。
【００２０】
左側洗浄棚１２Ａ、右側洗浄棚１２Ｂ、及び後側洗浄棚１２Ｃは、図２〜６に示すように、それぞれが便鉢部１０の上部周縁から連続して便鉢部１０の中央部に向けて伸びつつ、下り傾斜して形成されている。以降、便鉢部１０の中央部に向かう方向を内向き方向という。また、右側洗浄棚１２Ｂの内向き方向の下り傾斜した傾斜角度は、左側洗浄棚１２Ａの内向き方向の下り傾斜した傾斜角度より小さい。
【００２１】
また、図１、３〜５に示すように、左側洗浄棚１２Ａの棚幅が、右側洗浄棚１２Ｂの棚幅よりも大きい。ここで、棚幅とは、上方から見た平面視において、便鉢部１０の周方向に対して直角方向の洗浄棚１２の寸法である。また、右側洗浄棚１２Ｂの棚幅は、図１に示すように、洗浄水が流れる方向の中央部に比べて上流側である前側が大きい。ここで、右側洗浄棚１２Ｂにおける上流側とは、右側洗浄棚１２Ｂの前側であり、右側洗浄棚１２Ｂに洗浄水が流入する側である。また、右側洗浄棚１２Ｂにおける下流側とは、右側洗浄棚１２Ｂの後側であり、右側洗浄棚１２Ｂから洗浄水が流出する側である。また、左側洗浄棚１２Ａにおける上流側とは、左側洗浄棚１２Ａの後側であり、左側洗浄棚１２Ａに洗浄水が流入する側である。また、左側洗浄棚１２Ａにおける下流側とは、左側洗浄棚１２Ａの前側であり、左側洗浄棚１２Ａから洗浄水が流出する側である。
【００２２】
また、後側洗浄棚１２Ｃの便鉢部１０の後側左右中央部よりも上流側である右側に位置する後側洗浄棚１２Ｃの棚幅、及び右側洗浄棚１２Ｂの下流側の端部である後端部の棚幅が、便鉢部１０の前後方向の中央部の右側洗浄棚１２Ｂの棚幅よりも小さい。ここで、後側洗浄棚１２Ｃにおける上流側とは、後側洗浄棚１２Ｃの右側であり、後側洗浄棚１２Ｃに洗浄水が流入する側である。また、後側洗浄棚１２Ｃにおける下流側とは、後側洗浄棚１２Ｃの左側であり、後側洗浄棚１２Ｃから洗浄水が流出する側である。後側洗浄棚１２Ｃは洗浄棚１２の後部である。また、後側洗浄棚１２Ｃは便鉢部１０の後側左右中央部よりも上流側である右側から後側左右中央部に向けて徐々に棚幅が大きくなる。右側洗浄棚１２Ｂの後端部の棚幅は後側洗浄棚１２Ｃの左右方向の中央部の棚幅より小さい。また、洗浄棚１２の左右における上流側とは、左側洗浄棚１２Ａ、及び右側洗浄棚１２Ｂの内の一方であって、吐水口１１Ａから吐水された洗浄水が左側洗浄棚１２Ａ、又は右側洗浄棚１２Ｂの伸びる長さの半分以上の区間を先に流れた側である。また、洗浄棚１２における下流側とは、左側洗浄棚１２Ａ、及び右側洗浄棚１２Ｂの内の他方側である。実施例１において、洗浄棚１２における上流側は左側洗浄棚１２Ａであり、下流側が右側洗浄棚１２Ｂである。
【００２３】
第１境界部１０Ｂは、左側洗浄棚１２Ａ、右側洗浄棚１２Ｂ、及び後側洗浄棚１２Ｃの外周縁に連続して形成されている。第１境界部１０Ｂは、斜め外側下方へ向けて凹んだ曲面で形成されている。立面１１は第１境界部１０Ｂの外周縁に連続して立ち上がっている。つまり、立面１１は洗浄棚１２の外周縁に連続して立ち上がっている。立面１１は、上方からの平面視において、前側と後側との曲率が大きく形成されている。ここで、立面１１の曲率が大きい前側に囲まれた領域を前部領域Ｇといい、立面１１の曲率が大きい後側に囲まれた空間を後部領域Ｈという。また、第１境界部１０Ｂは斜め外側下方へ向けて凹んだ曲面で形成されており、洗浄棚１２と立面１１とを滑らかに繋ぐように形成されている（図３〜６参照。）。第１境界部１０Ｂは、左側洗浄棚１２Ａに設けられ、左側洗浄棚１２Ａの外周側に位置して立ち上がる立面１１に連続する部分における上下方向の曲率が、右側洗浄棚１２Ｂに設けられ、右側洗浄棚１２Ｂの外周側に位置して立ち上がる立面１１に連続する部分における上下方向の曲率より小さい。
【００２４】
また、立面１１には吐水口１１Ａが設けられている。吐水口１１Ａは水洗式便器１を前方から見て左側であって、立面１１の後側に前後方向に開口して設けられている（図１、３〜５参照。）。吐水口１１Ａは洗浄水を吐水して便鉢部１０内に洗浄水を供給する。
【００２５】
膨出部１１Ｂは、後部領域Ｈの右側の洗浄棚１２と立面１１とに接続して設けられている。具体的には、膨出部１１Ｂは、便鉢部１０を上方から見た平面視において立面１１の上端縁の曲率が大きくなる後部領域Ｈであって、便鉢部１０の後側左右中央部よりも上流側である右側の後側洗浄棚１２Ｃ、及び右側洗浄棚１２Ｂの後端部の外周縁に連続して上側に膨らみ設けられている。膨出部１１Ｂは、斜め外側下方へ向けて凹んだ曲面で形成されており、洗浄棚１２と立面１１とを滑らかに繋ぐように形成されている。膨出部１１Ｂは、図３〜５に示すように、膨出部１１Ｂの左右両端部から膨出部１１Ｂの左右方向の中央部に向けて上下方向の幅が大きく形成されており、左右両端部に比べて左右方向の中央部が上側に位置している。つまり、膨出部１１Ｂは、便鉢部１０の内側から水平方向に見た形状において、上縁が洗浄水が流れる上流端から中央部に向けて徐々に高くなり、中央部から下流端に向けて徐々に低くなっている。
【００２６】
鉢面１３は、図１、２に示すように、前側鉢面１３Ａ、後側鉢面１３Ｂ、及び底面１３Ｌを具備している。また、前側鉢面１３Ａは第１鉢面１３Ｃ、第２鉢面１３Ｄ、及び第３鉢面１３Ｅを具備している。
【００２７】
第１鉢面１３Ｃは鉢面１３の前側の上部に位置している。第１鉢面１３Ｃの左右両側は、図１に示すように、左側洗浄棚１２Ａの前端縁及び右側洗浄棚１２Ｂの前端縁に連続している。また、第１鉢面１３Ｃの前側は、図２に示すように、立面１１の前端部の下端部に連続している。第１鉢面１３Ｃは斜め外側下方に湾曲して凹んだ前側凹面１３Ｈを具備している。前側凹面１３Ｈは後側に向かうにつれて下りつつ、後側下方に向かう傾斜が緩やかになっている。
【００２８】
第２鉢面１３Ｄは、図１、２に示すように、前側が第１鉢面１３Ｃの後端部に連続している。また、第２鉢面１３Ｄは左右両側が左側洗浄棚１２Ａの前側の右端縁、及び右側洗浄棚１２Ｂの前側の左端縁に第２境界部１０Ｃを介して連続し、内向き方向に伸びて形成されている。第２境界部１０Ｃは鉢面１３と、洗浄棚１２との間に設けられ、斜め上方内側に突出するように形成された曲面であり、鉢面１３と、洗浄棚１２とを滑らかに繋ぐように形成されている。つまり、鉢面１３は上部に第２境界部１０Ｃを介して洗浄棚１２の内周縁が連続している。また、右側洗浄棚１２Ｂと、鉢面１３との第２境界部１０Ｃは、後側洗浄棚１２Ｃの便鉢部１０の後側左右中央部よりも上流側である右側、及び右側洗浄棚１２Ｂの後端部における第２境界部１０Ｃの内側に突出する度合いが、右側洗浄棚１２Ｂの前後方向の中央部における第２境界部１０Ｃの内側に突出する度合いに比べて小さく形成されている（図３、６参照。）。具体的には、右側洗浄棚１２Ｂと、鉢面１３との第２境界部１０Ｃは、後側洗浄棚１２Ｃの便鉢部１０の後側左右中央部よりも上流側、及び右側洗浄棚１２Ｂの後端部における第２境界部１０Ｃの曲率半径が、便鉢部１０の前後方向の中央部の右側洗浄棚１２Ｂにおける第２境界部１０Ｃの曲率半径よりも大きく形成されている（図３、６参照。）。ここで、突出する度合いとは、洗浄棚１２と鉢面１３とを滑らかに繋ぐ第２境界部１０Ｃにおいて、洗浄棚１２と鉢面１３との中央が、斜め上方内側に突出する量である。つまり、突出する度合いが大きいとは、洗浄棚１２と鉢面１３とを滑らかに繋ぐ第２境界部１０Ｃにおいて、洗浄棚１２と鉢面１３との中央が、斜め上方内側に突出する量が大きいことを意味する。
【００２９】
また、第２鉢面１３Ｄは後側下方に向けた傾斜が第１鉢面１３Ｃに比べて緩やかである。また、第２鉢面１３Ｄは後端部の左右方向の中央部が左右両側に比べて前側に位置している（図１参照。）。
【００３０】
第３鉢面１３Ｅは上端が第２鉢面１３Ｄの後端部の左右方向の中央部に連続して後側下方に垂下して形成されている。第３鉢面１３Ｅは左右方向の中央部が左右両側に比べて前側に位置している（図１参照。）。第３鉢面１３Ｅは、上方から見た平面視において、左右中央が最も前側に位置するように前側に湾曲して形成されており、左右両側に比べて左右中央部の前側に湾曲する曲率が大きい。また、第２鉢面１３Ｄ及び第３鉢面１３Ｅには、前後方向において上方に湾曲して膨らむ前側凸面１３Ｋを具備している（図２参照。）。つまり、鉢面１３は、第１鉢面１３Ｃ、第２鉢面１３Ｄ、及び第３鉢面１３Ｅの左右方向の中央部に上部から下部に向けて前側凹面１３Ｈと前側凸面１３Ｋとが形成されている。
【００３１】
後側鉢面１３Ｂは鉢面１３の後部である。後側鉢面１３Ｂは左右方向の中央部が左右両側に比べて後側に位置している。後側鉢面１３Ｂは、上方から見た平面視において、左右中央が最も後側に位置するように湾曲して形成されている。後側鉢面１３Ｂは左側洗浄棚１２Ａの後側の右端縁、右側洗浄棚１２Ｂの後側の左端縁、及び後側洗浄棚１２Ｃの前端縁に第２境界部１０Ｃを介して連続して内向き方向に傾斜しつつ垂下している。また、後側鉢面１３Ｂの左側の前端は、第２鉢面１３Ｄの左側の後端、及び第３鉢面１３Ｅの左側の後端に連続している。そして、後側鉢面の右側の前端は、第２鉢面１３Ｄの右側の後端、及び第３鉢面１３Ｅの右側の後端に連続している。以降、第３鉢面１３Ｅと後側鉢面１３Ｂの下部とで囲まれた空間を凹部１０Ｄという。つまり、凹部１０Ｄは鉢面１３の下部に形成され、鉢面１３の上部から連続して設けられている（図２参照。）。
【００３２】
また、図３に示すように、後側鉢面１３Ｂの上端部において、左側が右側よりも内向き方向の傾斜が急である。また、後側鉢面１３Ｂの左側の上下方向の中央部は上下方向で外側に凹んだ第１凹面である第１左側凹面１３Ｆで形成され、右側の上下方向の中央部は上下方向で内側に突出した凸面である右側凸面１３Ｊで形成されている。また、右側凸面１３Ｊは凹部１０Ｄの左右方向の中央部における前後方向の中央部よりも後方に形成されている（図１参照。）。
【００３３】
また、鉢面１３には、水平方向の断面形状において、後側鉢面１３Ｂの左側には外側に凹んだ第１左側凹面１３Ｆ、及び第１左側凹面１３Ｆより前側に内側に突出した凸面である左側凸面１３Ｇが形成されている（図８参照。）。また、上下方向の断面形状においても、第１左側凹面１３Ｆが外側に凹んで形成され、左側凸面１３Ｇが内側に突出して形成されている（図３、４参照。）。また、上下方向の断面形状において、鉢面１３は、左側凸面１３Ｇの上側に、外側に凹んで形成された第２凹面である第２左側凹面１３Ｐが形成されている（図４参照。）。また、左側凸面１３Ｇは凹部１０Ｄの左右方向の中央部における前後方向の中央部よりも前方に形成されている（図１参照。）。また、鉢面１３は、上部における水平方向の断面形状において、右側凸面１３Ｊの前方に外側に凹んだ右側凹面１３Ｍが形成されている（図７参照。）。また、上下方向の断面形状においても、右側凸面１３Ｊは内側に突出して形成され、右側凹面１３Ｍが外側に凹んで形成されている（図３、４参照。）。
【００３４】
底面１３Ｌは、図１に示すように、外周縁の左右両側及び前側が、第３鉢面１３Ｅの下端及び後側鉢面１３Ｂの左右両側の下端に連続して後方向に向けて伸びて形成されている。つまり、底面１３Ｌは凹部１０Ｄの下端に連続して設けられている。底面１３Ｌは後側下方に向けて傾斜している（図２参照。）。また、底面１３Ｌは後端部の左右方向の中央部が後端部の左右両側に比べて前側に位置している。つまり、底面１３Ｌの後端部は、上方から見た平面視において、左右方向の中央部が最も前側に位置するように前側に湾曲して形成されている。また、底面１３Ｌの後部には流入口３０Ａが形成されている。詳しくは、流入口３０Ａは底面１３Ｌの後端部及び後側鉢面１３Ｂの下端に連続して形成されている。また、流入口３０Ａの前後方向の寸法は凹部１０Ｄの左右方向の中央部において、、凹部１０Ｄの前後方向の寸法の半分よりも小さい。実施例１においては、流入口３０Ａの前後方向の寸法は凹部１０Ｄの左端から右端に亘り、凹部１０Ｄの前後方向の寸法の半分よりも小さい。上方からの平面視において、流入口３０Ａの面積も、第３鉢面１３Ｅと後側鉢面１３Ｂの下部とで囲まれた空間の面積の半分より小さい。
【００３５】
こうして形成された便鉢部１０において、第２鉢面１３Ｄ及び第３鉢面１３Ｅの前側凸面１３Ｋは、図２に示すように、洗浄棚１２より低く、底面１３Ｌより高い位置に位置している。具体的には、第２鉢面１３Ｄ及び第３鉢面１３Ｅの前側凸面１３Ｋの上下方向の中央部と、洗浄棚１２との上下方向の間隔Ｕよりも第２鉢面１３Ｄ及び第３鉢面１３Ｅの前側凸面１３Ｋの上下方向の中央部と凹部１０Ｄの底面１３Ｌとの上下方向の間隔Ｌの方が大きく形成されている。
【００３６】
排水路３０は上流端が凹部１０Ｄの底面１３Ｌの後部に形成された流入口３０Ａに連続している。また、排水路３０は後側下方に向けて伸びる下降流路３０Ｂと、下降流路３０Ｂの下流端に連続して後側上方に向けて伸びる上昇流路３０Ｃとを有している。上昇流路３０Ｃの下流端は後方向に開口しており、接続部材（図示せず）の上流端の開口に挿入して接続される。この水洗式便器１は排水路３０を設置する場所に設けられた壁面から引き出された排水管に接続部材を介して連通することができる（図示せず。）。
【００３７】
また、図１、２に示すように、水洗式便器１の後部には洗浄水供給口１４が設けられている。洗浄水供給口１４は水洗式便器１に載置して固定される洗浄タンクの排水口等が挿入される（図示せず。）。洗浄タンクの排水口から洗浄水供給口１４に供給された洗浄水は、吐水管を介して立面１１に設けられた吐水口１１Ａから便鉢部１０内に吐水される（図示せず。）。
【００３８】
こうして形成された水洗式便器１は、図２に示すように、便鉢部１０に溜水部Ｐを形成することができる。詳しくは、溜水部Ｐは、凹部１０Ｄ、底面１３Ｌ、下降流路３０Ｂ、及び上昇流路３０Ｃで囲まれた空間に形成される。溜水部Ｐの溜水面Ｗは底面１３Ｌより上方に位置している。排水路３０は溜水部Ｐによって、便鉢部１０と、設置する場所に設けられた壁面から引き出された排水管とが連通することを遮断するトラップ排水路である。
【００３９】
次に、この水洗式便器１の便鉢部１０における洗浄水の流れ方について説明する。
【００４０】
洗浄タンクに貯留された洗浄水が洗浄タンクの排水口から排水される（図示せず。）。すると、洗浄水が吐水管を介して、吐水口１１Ａから便鉢部１０内に吐水される。すると、図９、１０に示すように、吐水口１１Ａから吐水された洗浄水の一部は後側鉢面１３Ｂの後部の左側を流下して凹部１０Ｄ内の溜水部Ｐに流入して、第２主流である流れＺになる（以降、流れＺという。）。つまり、流れＺは鉢面１３の後部の左側から流下して凹部１０Ｄの後方又は側方から凹部１０Ｄに流入する。また、吐水口１１Ａから吐水された洗浄水の別の一部は左側洗浄棚１２Ａの表面を前方向に流れる（以降、流れＡという。）。左側洗浄棚１２Ａは内向き方向に下り傾斜している。これにより、流れＡは内向き方向に流れ易くなる。また、左側洗浄棚１２Ａの棚幅は右側洗浄棚１２Ｂの棚幅より大きい（図３〜５参照。）。これにより、左側洗浄棚１２Ａは表面を前方向に流れる流れＡの水量を確保して、第１鉢面１３Ｃや右側洗浄棚１２Ｂ等の洗浄に必要な水量の流れＡを第１鉢面１３Ｃや右側洗浄棚１２Ｂ等に流入させることができる。そして、流れＡは左側洗浄棚１２Ａの前側から第１鉢面１３Ｃの左側に流入する。また、左側洗浄棚１２Ａの棚幅は、所定の棚幅を保ち形成されている（図１参照。）。これにより、左側洗浄棚１２Ａは表面を前方向に流れる流れＡが左側洗浄棚１２Ａから流下することを適度に抑えることができる。
【００４１】
そして、流れＡは、上方から見た平面視において、第１鉢面１３Ｃを反時計方向に旋回して流れて、流れＡの一部が第１鉢面１３Ｃの右側から第２鉢面１３Ｄの右側及び第３鉢面１３Ｅの右側を流下して凹部１０Ｄ内の溜水部Ｐに流入して、第１主流である流れＹになる（以降、流れＹという。）。つまり、流れＹは、吐水口１１Ａから吐水された洗浄水が、第１鉢面１３Ｃの右側から流下して凹部１０Ｄの前方から凹部１０Ｄに流入する。
【００４２】
また、右側洗浄棚１２Ｂの前側に到達した流れＡの一部は、右側洗浄棚１２Ｂの前側、第１鉢面１３Ｃの右側、第２鉢面１３Ｄの右側、及び第３鉢面１３Ｅの右側を流下して凹部１０Ｄ内の溜水部Ｐに流入して、流れＶになる（以降、流れＶという。）。流れＶは右側凹面１３Ｍを流下し、右側凸面１３Ｊに到達すると、流れる方向が下方向に変更される。
【００４３】
また、流れＡの別の一部は右側洗浄棚１２Ｂの前側から右側洗浄棚１２Ｂに流入し、右側洗浄棚１２Ｂの表面を後方向に流れる。右側洗浄棚１２Ｂの棚幅は、洗浄水が流れる方向の中央部に比べて上流側である前側が大きく形成され、第１鉢面１３Ｃと滑らかに連続しているため、流れＡが第１鉢面１３Ｃの右側から右側洗浄棚１２Ｂの前側に流入し易い。つまり、左側洗浄棚１２Ａは洗浄棚１２を流れる流れＡの上流側に位置し、右側洗浄棚１２Ｂは洗浄棚１２を流れる流れＡの下流側に位置している。
【００４４】
また、右側洗浄棚１２Ｂの表面を後方向に流れる流れＡは吐水口１１Ａから吐出された直後の洗浄水に比べて流れる勢い及び水量が小さい。このため、右側洗浄棚１２Ｂの内向き方向に下り傾斜した傾斜角度を左側洗浄棚１２Ａの内向き方向に下り傾斜した傾斜角度より小さくすることによって、右側洗浄棚１２Ｂの表面を後方向に流れる流れＡを鉢面１３に向かい難くしている。これにより、流れＡが右側洗浄棚１２Ｂの表面を満遍なく流れて、流れＡを右側洗浄棚１２Ｂの後端部に到達することができる。そして、右側洗浄棚１２Ｂの後端部に到達した流れＡは後側洗浄棚１２Ｃの右側から後側洗浄棚１２Ｃの表面を左方向に流れて、流れＺに合流する。右側洗浄棚１２Ｂは後端部に向かうにつれて棚幅が徐々に小さくなっている。また、右側洗浄棚１２Ｂの下流側である後端部に連続する後側洗浄棚１２Ｃの上流側の棚幅は、便鉢部１０の後側左右中央部の棚幅よりも小さく形成されており、便鉢部１０の後側左右中央部よりも上流側から後側左右中央部に向けて徐々に棚幅が大きくなる。これにより、後側洗浄棚１２Ｃの表面を左方向に流れる流れＡが、後側鉢面１３Ｂに流下することを抑えつつ後側洗浄棚１２Ｃの表面を満遍なく流れ洗浄することができる。また、右側洗浄棚１２Ｂは左側洗浄棚１２Ａより高い位置に配置されている。このため、左側洗浄棚１２Ａに比べて洗浄水の流れる勢い及び水量が小さい下流側の洗浄棚１２である右側洗浄棚１２Ｂにおいても、左側洗浄棚１２Ａとほぼ同じ所定の高さまで立面１１を洗浄することができる。
【００４５】
右側洗浄棚１２Ｂの後端部に到達した流れＡの一部は膨出部１１Ｂの表面に乗り上げて流れることになる。これにより、洗浄棚１２を流れる流れＡの下流側において、洗浄棚１２の上側に位置する立面１１を洗浄する範囲を大きくすることができる。つまり、膨出部１１Ｂは、前部領域Ｇ又は後部領域Ｈの内、吐水口１１Ａから吐水されて洗浄棚１２を流れる洗浄水の下流側の後部領域Ｈであって、右側洗浄棚１２Ｂ及び便鉢部１０の後側左右中央部よりも上流側である右側における後側洗浄棚１２Ｃの外周側に連続する位置に形成されている。
ここで、前部領域Ｇ又は後部領域Ｈの内、前部領域Ｇの前端部又は後部領域Ｈの後端部を吐水口１１Ａから吐水された洗浄水が先に流れた方が上流側であり、後に流れた方が下流側である。実施例１において、前部領域Ｇが上流側であり、後部領域Ｈが下流側である。また、膨出部１１Ｂは、上方から見た平面視において、立面１１の上端縁の曲率が大きくなる後部領域Ｈに形成されている。これにより、右側洗浄棚１２Ｂの表面を後方向に流れる流れＡは、膨出部１１Ｂが設けられた位置に流れる流れＡに係る遠心力が大きくなるため、膨出部１１Ｂの表面に乗り上げて流れ易くなる。また、膨出部１１Ｂは斜め外側下方へ向けて湾曲して凹んだ曲面で形成されている。これにより、流れＡは膨出部１１Ｂに小さい抵抗で流入することができ、流れＡの勢いが小さくなり難いため、膨出部１１Ｂの表面に乗り上げて、膨出部１１Ｂの表面を良好に流れることができる。また、膨出部１１Ｂを流れる流れＡの一部は膨出部１１Ｂを流れることによって内向き方向の流れ（以降、流れＤという）になる。これにより、後側鉢面１３Ｂの後側は流れＤが流下することによって洗浄することができる。
【００４６】
また、膨出部１１Ｂの上端縁は、便鉢部１０の内側から水平方向に見た場合において、洗浄水の上流側から膨出部１１Ｂの左右方向の中央部に向けて徐々に高くなり、膨出部１１Ｂの左右方向の中央部から洗浄水の下流側に向けて徐々に低くなっている。これにより、流れＡは膨出部１１Ｂの表面及び膨出部１１Ｂの周囲を乱れることなく流れることができる。
【００４７】
また、後側洗浄棚１２Ｃよりも上流側である右側洗浄棚１２Ｂの後端部の棚幅は、便鉢部１０の前後方向の中央部の右側洗浄棚１２Ｂの棚幅より小さい。これにより、流れＡが便鉢部１０の前後方向の中央部の右側洗浄棚１２Ｂのから後端部に向けて流れると、右側洗浄棚１２Ｂの左端側を流れる流れＡが鉢面１３に向けて流下する流れになる（以降、流れＥという）。さらに、右側洗浄棚１２Ｂの後部に位置する第２境界部１０Ｃの上下方向の曲率半径が、便鉢部１０の前後方向の中央部の右側洗浄棚１２Ｂに位置する第２境界部１０Ｃの上下方向の曲率半径よりも大きく形成されており、後側鉢面１３Ｂの右側には右側凸面１３Ｊが形成されている。これにより、流れＥの下方向へ向かう勢いを小さく抑えることができるため、流れＥが後側鉢面１３Ｂの後側に到達し易くなる。これにより、後側鉢面１３Ｂの後側に流れＥを流下させることができるため、後側鉢面１３Ｂの後側が流れＥによっても洗浄することができる。また、右側凸面１３Ｊは凹部１０Ｄの左右方向の中央部における前後方向の中央部よりも後方に形成されている。これにより、流れＥをより後側鉢面１３Ｂの後側に到達させ易くなる。このため、後側鉢面１３Ｂの後側に流れＥをより多く流下させることができるため、後側鉢面１３Ｂの後側をより良好に洗浄することができる。
【００４８】
吐水口１１Ａから吐水され、左側洗浄棚１２Ａの表面を前方向に流れる流れＡは、左側洗浄棚１２Ａが内向き方向に下り傾斜しているため、鉢面１３に向かう方向に流れ易くなる。これにより、左側洗浄棚１２Ａの表面を前方向に流れる流れＡの一部は鉢面１３の左側を流下する流れ（以降、流れＢという）になる。流れＢは鉢面１３の後部の左側から流下して凹部１０Ｄの後方又は側方から凹部１０Ｄに流入する第２主流である。そして、流れＢの一部である流れＢ０は鉢面１３の第１左側凹面１３Ｆを流下しつつ前方向に流れる。また、左側洗浄棚１２Ａの表面の左側を前方向に流れる流れＡは左側洗浄棚１２Ａと立面１１との間の第１境界部１０Ｂの表面に乗り上げながら流れることになる。左側洗浄棚１２Ａと、左側洗浄棚１２Ａの外周側に位置して立ち上がる立面１１との第１境界部１０Ｂにおける上下方向の曲率は、右側洗浄棚１２Ｂと、右側洗浄棚１２Ｂの外周側に位置して立ち上がる立面１１との第１境界部１０Ｂにおける上下方向の曲率より小さい。これにより、左側洗浄棚１２Ａと、左側洗浄棚１２Ａの外周側に位置して立ち上がる立面１１との第１境界部１０Ｂの表面を流れる流れＡは第１境界部１０Ｂを流下することによって、内向き方向の流れ（以降、流れＣという）を形成する。
【００４９】
後側鉢面１３Ｂの上端部において、左側が右側よりも内向き方向の傾斜が急であり、第１左側凹面１３Ｆは便鉢部１０の外側に凹んで形成されているため、第１左側凹面１３Ｆの上部である後側鉢面１３Ｂの上端部の左側を流下する流れＢ０は下方向に流れる勢いが大きくなる。これにより、後側鉢面１３Ｂの左側は流れＢ０が流下することによって洗浄することができる。また、後側鉢面１３Ｂの上端部の左側、及び第１左側凹面１３Ｆを流下する流れＢ０は下方向に流れる勢いが大きくなるため、溜水部Ｐの左側に流入し、溜水部Ｐの洗浄水や汚物等を攪拌する。さらに、第１左側凹面１３Ｆは凹部１０Ｄの左右方向の中央部における前後方向の中央部よりも後方に形成されている。これにより、後側鉢面１３Ｂのより後側において、吐水口１１Ａから吐水された洗浄水の一部を吐水口１１Ａから吐水されて直に後側鉢面１３Ｂに流下させることができる。つまり、流れＢ０をより後側鉢面１３Ｂの後側に近い位置で流下させることができる。
【００５０】
また、第１左側凹面１３Ｆを流下する流れＢの一部である流れＢ１は前方向に流れつつ第１左側凹面１３Ｆの前側に形成された左側凸面１３Ｇに到達する。すると、左側凸面１３Ｇに到達した流れＢ１は左側凸面１３Ｇに衝突することで前方向に向かう勢いが小さくなる。このため、左側凸面１３Ｇに到達した流れＢ１は、左側凸面１３Ｇを下方向に流下して溜水部Ｐの左側に流入し、溜水部Ｐの洗浄水や汚物等を攪拌する。また、左側凸面１３Ｇに到達した流れＢの一部である流れＢ２は、第３鉢面１３Ｅの左側から第３鉢面１３Ｅに流入し、第３鉢面を右方向に流れて凹部１０Ｄに流入する。
【００５１】
また、流れＢの一部である流れＢ３は左側凸面１３Ｇの上側の第２左側凹面１３Ｐを前方向に流れる。すると、第２左側凹面１３Ｐを前方向に流れる流れＢ３は第２鉢面１３Ｄの左側に案内されて第２鉢面１３Ｄの左側から第２鉢面１３Ｄを前方向に流れる。つまり、第２左側凹面１３Ｐを流れる流れＢ３は前方向に向かう勢いが小さくなることが抑えられて第２鉢面１３Ｄの左側から第２鉢面１３Ｄを前方向に流れることができる。また、左側凸面１３Ｇ及び第２左側凹面１３Ｐは凹部１０Ｄの左右方向の中央部における前後方向の中央部よりも前方に形成されている。これにより、左側凸面１３Ｇに衝突する流れＢ１，Ｂ２は凹部１０Ｄに向けて流れ、第２左側凹面１３Ｐを前方向に流れる流れＢ３は第２鉢面１３Ｄの左側により良好に案内されて第２鉢面１３Ｄを前方向に流れることができる。そして、第２鉢面１３Ｄの左側から第２鉢面１３Ｄに流入した流れＢ３、及び流れＢの一部である流れＢ４は、第２鉢面１３Ｄの前側を反時計方向に旋回しつつ流れて、流れＹに合流する。
【００５２】
また、図１０に示すように、凹部１０Ｄの溜水部Ｐに流入する流れＹの一部は底面１３Ｌに衝突する（以降、流れＹ１という）。すると、流れＹ１は流れる方向が後側上方に変更されて後側鉢面１３Ｂに向けて流れる。つまり、第１主流である流れＹの一部である流れＹ１は吐水口１１Ａから吐水された洗浄水が、鉢面１３を流下して凹部１０Ｄの前方から凹部１０Ｄに流入し、底面１３Ｌに衝突して凹部１０Ｄの後面に向けて跳ねる。そして、流れＹ１は、上方から見た平面視において、溜水部Ｐ内で凹部１０Ｄの後方又は側方から凹部１０Ｄに流入する流れＺ，Ｂと共に、溜水部Ｐを反時計方向に旋回する旋回流Ｘを形成する（図９参照。）。流れＺは後方又は側方から凹部１０Ｄに流入すると、第３鉢面１３Ｅに沿って横方向である反時計方向に旋回することになる。第３鉢面１３Ｅは、上方からの平面視において、従来の便器に比べて左右中央部の前側に湾曲する曲率半径が大きく形成されている。これにより、流れＺをより旋回し易くすることができる。つまり、第２主流である流れＺ，Ｂは第１主流である流れＹと合流する。これにより、鉢面１３の表面側の溜水面Ｗの位置が上昇するため、溜水部Ｐ、及び溜水部Ｐより上側の鉢面１３を洗浄することができる。このときの溜水面Ｗは第１左側凹面１３Ｆの下端部１３Ｎの位置とほぼ同じ位置まで上昇する（図３参照。）。また、流れＹの別の一部は流入口３０Ａを介して排水路３０に直接流入する流れＹ２を形成する（以降、流れＹ２という。）。
【００５３】
また、流入口３０Ａの前後方向の寸法は凹部１０Ｄの左右方向の中央部において、前後方向の寸法の半分よりも小さい。実施例１においては、流入口３０Ａの前後方向の寸法は凹部１０Ｄの左端から右端に亘り、凹部１０Ｄの前後方向の寸法の半分よりも小さい。上方からの平面視において、流入口３０Ａの面積も、第３鉢面１３Ｅと後側鉢面１３Ｂの下部とで囲まれた空間の面積の半分より小さい。これにより、溜水部Ｐに流入する洗浄水の全てが直ちに排水路３０に流入することなく凹部１０Ｄ内に留めることができ、溜水部Ｐの鉢面１３の表面側の溜水面Ｗの位置を上昇させることができるため、凹部１０Ｄのより広い範囲を洗浄することができる。
【００５４】
また、第２鉢面１３Ｄ及び第３鉢面１３Ｅの前側凸面１３Ｋの上下方向の中央部と、洗浄棚１２との上下方向の間隔Ｕよりも第２鉢面１３Ｄ及び第３鉢面１３Ｅの前側凸面１３Ｋの上下方向の中央部と凹部１０Ｄの底面１３Ｌとの上下方向の間隔Ｌの方が大きく形成されている（図２参照。）。つまり、前側凸面１３Ｋの上下方向の位置を洗浄棚１２の位置に近づけることによって、前側凸面１３Ｋと底面１３Ｌとの間隔がより大きくなる。これにより、流れＹが溜水部Ｐに流入する勢いをより大きくすることができる。このため、流れＹ１の流れる勢いが大きくなり、底面１３Ｌに衝突して跳ねて、後側上方に変更された流れの勢いをより大きくすることができるため、より良好に溜水部Ｐ、及び溜水部Ｐより上側の鉢面１３を洗浄することができる。また、流れＹ２の勢いもより大きくすることができるため、より良好に汚物を排水路３０に排出することができる。
【００５５】
また、後側鉢面１３Ｂの左側や左側凸面１３Ｇを下方向に流下して溜水部Ｐの左側に流入する流れＢ０，Ｂ１は、底面１３Ｌに到達すると、底面１３Ｌの表面を右方向に流れることになる。これにより、後側鉢面１３Ｂの左側や左側凸面１３Ｇを下方向に流下して溜水部Ｐの左側に流入する流れＢ０，Ｂ１は旋回流Ｘの下側の流れを崩して、旋回流Ｘの下側の流れを流れＹ２に合流させることができる。これにより、旋回流Ｘと共に旋回する汚物等を流れＹ２に合流させて、汚物等を排水路３０に押し込んで良好に排出することができる。また、流れＢ０，Ｂ１の内、底面１３Ｌの前側に到達し右方向に流れる流れは、凹部１０Ｄ内において、反時計方向に旋回する旋回流Ｘを形成する（図９参照。）。
【００５６】
また、この水洗式便器１は左側洗浄棚１２Ａの上流側に対応する位置の鉢面１３に第１左側凹面１３Ｆを形成し、下流側に対応する位置の鉢面１３に左側凸面１３Ｇに形成している。これにより、第１左側凹面１３Ｆを流れて左側凸面１３Ｇに到達した洗浄水は、凹部１０Ｄに向けて流下し易くなり、良好に洗浄水や汚物等の排出することができる。また、左側凸面１３Ｇの上側を前方向に流れる洗浄水を鉢面１３に旋回して流し易くして、良好に鉢を洗浄することができる。そして、右側洗浄棚１２Ｂの上流側に対応する位置の鉢面１３に右側凹面１３Ｍを形成し、下流側に対応する位置の鉢面１３に右側凸面１３Ｊを形成している。これにより、右側凹面１３Ｍを流れて右側凸面１３Ｊに到達した洗浄水は、凹部１０Ｄに向けて流下し易くなり、良好に洗浄水や汚物等の排出することができる。また、右側凸面１３Ｊの上側を後方向に流れる洗浄水を鉢面に旋回して流し易くして、良好に鉢を洗浄することができる。つまり、この水洗式便器１は、左側洗浄棚１２Ａ及び右側洗浄棚１２Ｂのそれぞれの上流側に対応する位置の鉢面１３に凹面（第１左側凹面１３Ｆ、右側凹面１３Ｍ）を形成し、下流側に対応する位置の鉢面１３に凸面（左側凸面１３Ｇ、右側凸面１３Ｊ）を形成している。これにより、この水洗式便器１は、鉢面１３の左側、及び右側のそれぞれにおいて、凹面（第１左側凹面１３Ｆ、右側凹面１３Ｍ）を流れて凸面（左側凸面１３Ｇ、右側凸面１３Ｊ）に到達した洗浄水を凹部１０Ｄに向けて流下し易くして、良好に洗浄水や汚物等の排出することができ、凸面（左側凸面１３Ｇ、右側凸面１３Ｊ）の上側を流れる洗浄水を鉢面１３に流し易くして、良好に鉢を洗浄することができる。
【００５７】
このように、この水洗式便器１は、流れＢが第１左側凹面１３Ｆと左側凸面１３Ｇとを流れると、第１左側凹面１３Ｆと左側凸面１３Ｇとによって流れＢが鉢面１３の後部の左側から凹部１０Ｄに向けて流入する方向を調節することができる。これにより、この水洗式便器１は凹部１０Ｄ内の所望の位置に流れＢを流下させて、凹部１０Ｄ内の洗浄水や汚物等を攪拌して、排水路に汚物等を排出することができる。
【００５８】
したがって、本発明の水洗式便器１は便鉢部１０の表面を洗浄しつつ、汚物等を良好に排出することができる。
【００５９】
また、この水洗式便器１は上下方向の断面形状において、第１左側凹面１３Ｆが外側に凹んで形成され、左側凸面１３Ｇが内側に突出して形成されている。このため、流れＢが第１左側凹面１３Ｆを流れた後、左側凸面１３Ｇに到達すると、流れＢは前方向に向かう勢いが小さくなる。このため、左側凸面１３Ｇに到達した流れＢは、左側凸面１３Ｇを下方向に流下して凹部１０Ｄの左側に流入し、凹部１０Ｄの洗浄水や汚物等を攪拌することができる。
【００６０】
また、この水洗式便器１の鉢面１３は、上下方向の断面形状において、左側凸面１３Ｇの上側に、外側に凹んで形成された第２左側凹面１３Ｐを具備している。このため、流れＢが第１左側凹面１３Ｆを流れた後、第２左側凹面１３Ｐに到達すると、流れＢは第２左側凹面１３Ｐと左側凸面１３Ｇとによって鉢面１３の前側に案内される。つまり、第２左側凹面１３Ｐを流れる流れＢは前方向に向かう勢いが小さくなることが抑えられて鉢面１３の前側に流れることができる。
【００６１】
また、この水洗式便器１の左側凸面１３Ｇは凹部１０Ｄの左右方向の中央部における前後方向の中央部よりも前方に形成されている。このため、この水洗式便器１は第２左側凹面１３Ｐを前方向に流れる流れＢが左側凸面１３Ｇによって鉢面１３の前側により良好に案内される。つまり、第２左側凹面１３Ｐを流れる流れＢは前方向に向かう勢いが小さくなることが抑えられて鉢面１３の前側により良好に流れることができる。
【００６２】
また、この水洗式便器１は、吐水口１１Ａから吐水された洗浄水が、鉢面１３の右側を流下して凹部１０Ｄの前方から凹部１０Ｄに流入する流れＹを形成する。このため、この水洗式便器１は、凹部１０Ｄ内に旋回する旋回流Ｘを形成することができる。これにより、凹部１０Ｄ内の溜水面Ｗの位置が上昇し、凹部１０Ｄのより広い範囲を洗浄することができる。
【００６３】
本発明は上記記述及び図面によって説明した実施例１に限定されるものではなく、例えば次のような実施例も本発明の技術的範囲に含まれる。
（１）実施例１では、第１左側凹面、及び第２左側凹面が外側に凹んで形成されているが、第１左側凹面に替えて上下方向に直線状に形成された面を鉢面に設けてもよい。
（２）実施例１では、左側凸面が凹部の左右方向の中央部における前後方向の中央部よりも前方に形成されているが、左側凸面が凹部の左右方向の中央部における前後方向の中央部から前方に亘り形成してもよい。この場合、左側凸面によって鉢面の前側に案内される洗浄水の水量をより多くすることができ、左側凸面に到達し、左側凸面を下方向に流下して凹部の左側に流入する洗浄水の水量をより少なくすることができる。つまり、左側凸面が形成される前後方向の長さを変更することによって、鉢面の前側に案内される洗浄水の水量、及び下方向に流下して凹部の左側に流入する洗浄水の水量を所望の量に調節することができる。
（３）実施例１では、洗浄水を貯留する洗浄タンクを例示したが、洗浄タンクを設けず、給水源から開閉弁を介して洗浄水を直接吐水してもよい。
（４）実施例１では、吐水管を介して立面に設けられた吐水口から便鉢部内に吐水されることを例示したが、吐水管を設けず、洗浄タンクから直接吐水口まで導水してもよい。
（５）実施例１では、立面が、第１境界部を介して洗浄棚の外周縁に連続して立ち上がっているが、上方からの平面視において、立面が洗浄棚を覆うように形成されていてもよい。
（６）実施例１では、吐水口が水洗式便器を前端側から見て左側であって、立面の後側に前後方向に開口して設けられているが、立面の右側や前側に設けられていてもよい。また、吐水口を２つ以上設けてもよい。
（７）実施例１では、左側洗浄棚の前側と右側洗浄棚の前側との間に鉢面が形成されているが、左側洗浄棚の前側と右側洗浄棚の前側とを洗浄棚で連続して形成してもよい。
【符号の説明】
【００６４】
１０…便鉢部
１０Ｄ…凹部
１１Ａ…吐水口
１３…鉢面
１３Ｆ…第１左側凹面（第１凹面）
１３Ｇ…左側凸面（凸面）
１３Ｌ…底面
１３Ｐ…第２左側凹面（第２凹面）
３０…排水路
３０Ａ…流入口
Ｙ…第１主流（主流）
【図１】
2018111949.tif 000003
【図２】
2018111949.tif 000004
【図３】
2018111949.tif 000005
【図４】
2018111949.tif 000006
【図５】
2018111949.tif 000007
【図６】
2018111949.tif 000008
【図７】
2018111949.tif 000009
【図８】
2018111949.tif 000010
【図９】
2018111949.tif 000011
【図１０】
2018111949.tif 000012